(57)【要約】【課題】光ディスクの内部に記録された情報に関する情報（画像情報や文字情報等）を簡便に、且つ、周辺を汚すことなく、正確に印刷できるようにする。【解決手段】情報記録再生装置１０Ａは、筐体１２内に、挿入口２８を介して収容され、第１トレイ２６に載置された光ディスク１４に対して情報の記録及び／又は再生を行う記録再生部１６と、記録再生部１６を移動駆動する記録再生系移動機構１８と、第１トレイ２６に載置された光ディスク１４を第２トレイに搬送する搬送機構２４と、第２トレイ３０に載置された光ディスク１４の印刷可能面２０に対して画像や文字等の印刷情報の印刷を行って取出し口３２を介して排出する印刷部２２と、第１トレイ２６を挿入口２８に対して出し入れ自在に移動させる第１トレイ移動機構３４と、第２トレイ３０を取出し口３２に対して出し入れ自在に移動させる第２トレイ移動機構３６とを有する。【選択図】図１
2007026608.tif 000002
【特許請求の範囲】
【請求項１】
１つの筐体と、
前記筐体内に設置され、且つ、前記筐体内に収容された光情報記録媒体に対して情報の記録及び／又は再生を行う記録再生部と、
前記筐体内の前記記録再生部とは異なる位置に設置され、且つ、前記記録再生部にて情報の記録及び／又は再生が行われた前記光情報記録媒体の印刷可能面に対して画像や文字を含む印刷情報の印刷を行う印刷部とを有することを特徴とする情報記録再生装置。
【請求項２】
請求項１記載の情報記録再生装置において、
前記記録再生部は、前記筐体に収容された１つの光情報記録媒体に対して情報の記録及び／又は再生を行い、
前記印刷部は、前記記録再生部にて情報の記録及び／又は再生が行われた前記１つの光情報記録媒体の印刷可能面に対して前記印刷情報の印刷を行うことを特徴とする情報記録再生装置。
【請求項３】
請求項１又は２記載の情報記録再生装置において、
前記筐体に設けられ、且つ、前記光情報記録媒体を前記筐体内に収容し、さらに、前記光情報記録媒体を前記筐体外に排出するための開口と、
前記筐体内に設置され、且つ、前記開口を介して前記筐体内に収容された前記光情報記録媒体を、前記記録再生部と前記印刷部とに搬送する搬送機構を有することを特徴とする情報記録再生装置。
【請求項４】
請求項３記載の情報記録再生装置において、
前記記録再生部は、前記開口を介して収容された前記光情報記録媒体に対して情報の記録及び／又は再生を行い、
前記印刷部は、前記記録再生部にて情報の記録及び／又は再生が行われた前記光情報記録媒体の印刷可能面に対して前記印刷情報の印刷を行い、
前記搬送機構は、前記記録再生部にて情報の記録及び／又は再生が行われた前記前記光情報記録媒体を前記印刷部に搬送し、前記印刷部にて前記印刷情報が印刷された前記光情報記録媒体を前記記録再生部に搬送し、
前記記録再生部は、前記搬送機構によって搬送された前記光情報記録媒体を前記開口を介して排出することを特徴とする情報記録再生装置。
【請求項５】
請求項３記載の情報記録再生装置において、
前記搬送機構は、前記開口を介して収容された前記光情報記録媒体を前記記録再生部に搬送し、前記記録再生部にて情報の記録及び／又は再生が行われた前記前記光情報記録媒体を前記印刷部に搬送し、
前記印刷部は、前記記録再生部にて情報の記録及び／又は再生が行われた前記光情報記録媒体の印刷可能面に対して前記印刷情報の印刷を行い、前記開口を介して前記光情報記録媒体を排出することを特徴とする情報記録再生装置。
【請求項６】
請求項１記載の情報記録再生装置において、
前記筐体は、前記光情報記録媒体を前記筐体内に収容するための挿入口と、前記光情報記録媒体を前記筐体外に排出するための取出し口とを有し、
前記記録再生部は、前記挿入口を介して挿入された前記光情報記録媒体に対して情報の記録及び／又は再生を行い、
前記印刷部は、前記記録再生部にて情報の記録及び／又は再生が行われた前記光情報記録媒体の印刷可能面に対して前記印刷情報の印刷を行い、前記取出し口を介して前記光情報記録媒体を排出することを特徴とする情報記録再生装置。
【請求項７】
請求項６記載の情報記録再生装置において、
前記筐体内に設置され、前記記録再生部にて情報の記録及び／又は再生が行われた前記光情報記録媒体を、前記筐体内において前記印刷部に搬送する搬送機構を有することを特徴とする情報記録再生装置。
【請求項８】
請求項６又は７記載の情報記録再生装置において、
前記記録再生部は、前記挿入口を介して挿入された１つの光情報記録媒体に対して情報の記録及び／又は再生を行い、
前記印刷部は、前記記録再生部にて情報の記録及び／又は再生が行われた前記１つの光情報記録媒体の印刷可能面に対して前記印刷情報の印刷を行い、前記取出し口を介して前記１つの光情報記録媒体を排出することを特徴とする情報記録再生装置。
【請求項９】
請求項６〜８のいずれか１項に記載の情報記録再生装置において、
前記挿入口及び前記取出し口は共に、前記筐体の１つの面に設けられていることを特徴とする情報記録再生装置。
【請求項１０】
請求項６〜９のいずれか１項に記載の情報記録再生装置において、
前記挿入口は、前記筐体の１つの面に設けられ、
前記取出し口は、前記筐体の前記１つの面とは異なる面に設けられていることを特徴とする情報記録再生装置。
【請求項１１】
請求項１０記載の情報記録再生装置において、
前記筐体は４つの側面を有し、
前記挿入口は、４つの側面のうち、１つの側面に設けられ、
前記取出し口は、前記４つの側面のうち、前記１つの側面とは反対側の側面に設けられていることを特徴とする情報記録再生装置。
【請求項１２】
請求項１０記載の情報記録再生装置において、
前記筐体は４つの側面を有し、
前記挿入口は、４つの側面のうち、１つの側面に設けられ、
前記取出し口は、前記４つの側面のうち、前記１つの側面と隣接する側面に設けられていることを特徴とする情報記録再生装置。
【請求項１３】
請求項６〜１２のいずれか１項に記載の情報記録再生装置において、
前記記録再生部は、前記光情報記録媒体が載置される第１トレイと、前記筐体内に設置され、前記第１トレイを前記挿入口に対して出し入れ自在に移動させる第１トレイ移動機構とを有し、
前記印刷部は、前記光情報記録媒体が載置される第２トレイと、前記筐体内に設置され、前記第２トレイを前記取出し口に対して出し入れ自在に移動させる第２トレイ移動機構とを有することを特徴とする情報記録再生装置。
【請求項１４】
１つの筐体と、前記筐体内に設置され、且つ、前記筐体内に収容された前記光情報記録媒体に対して情報の記録及び／又は再生を行う記録再生部とを有する情報記録再生装置にて使用される情報印刷方法において、
前記記録再生部にて情報の記録及び／又は再生が行われた前記光情報記録媒体を、前記筐体内における前記記録再生部とは異なる位置に搬送した後、前記光情報記録媒体の印刷可能面に対して画像や文字を含む印刷情報の印刷を行うことを特徴とする情報印刷方法。
【請求項１５】
請求項１４記載の情報印刷方法において、
前記筐体に収容された１つの光情報記録媒体に対して情報の記録及び／又は再生を行い、
前記情報の記録及び／又は再生が行われた前記１つの光情報記録媒体の印刷可能面に対して前記印刷情報の印刷を行うことを特徴とする情報印刷方法。
【請求項１６】
請求項１４又は１５記載の情報印刷方法において、
前記筐体に設けられた開口を介して収容された前記光情報記録媒体に対して情報の記録及び／又は再生を行い、
前記情報の記録及び／又は再生が行われた前記光情報記録媒体を、前記筐体内における前記記録再生部とは異なる位置に搬送した後、前記光情報記録媒体の印刷可能面に対して前記印刷情報の印刷を行い、
搬送された前記光情報記録媒体を前記開口を介して排出することを特徴とする情報印刷方法。
【請求項１７】
請求項１４記載の情報印刷方法において、
前記筐体は、前記光情報記録媒体を前記筐体内に収容するための挿入口と、前記光情報記録媒体を前記筐体外に排出するための取出し口とを有し、
前記記録再生部は、前記挿入口を介して挿入された前記光情報記録媒体に対して情報の記録及び／又は再生を行い、
前記情報の記録及び／又は再生が行われた前記光情報記録媒体の印刷可能面に対して前記印刷情報の印刷を前記筐体内において行い、前記取出し口を介して前記光情報記録媒体を排出することを特徴とする情報印刷方法。
【請求項１８】
請求項１７記載の情報印刷方法において、
前記記録再生部にて情報の記録及び／又は再生が行われた前記光情報記録媒体を、前記筐体内における前記記録再生部とは異なる位置に搬送した後、前記光情報記録媒体の印刷可能面に対して前記印刷情報の印刷を行うことを特徴とする情報印刷方法。
【請求項１９】
請求項１７又は１８記載の情報印刷方法において、
前記挿入口を介して挿入された１つの光情報記録媒体に対して情報の記録及び／又は再生を行い、
前記情報の記録及び／又は再生が行われた前記１つの光情報記録媒体の印刷可能面に対して前記印刷情報の印刷を行い、前記取出し口を介して前記１つの光情報記録媒体を排出することを特徴とする情報印刷方法。
【請求項２０】
内部に情報が記録され、且つ、請求項１４〜１９のいずれか１項に記載の情報印刷方法によって印刷情報が印刷された光情報記録媒体。
【発明の詳細な説明】
【技術分野】
【０００１】
本発明は、光情報記録媒体に対して例えばレーザ光を利用して情報を記録及び／又は再生を行うことができる情報記録再生装置と、情報が記録された光情報記録媒体の印刷可能面に対して印刷情報を印刷する情報印刷方法と、内部に情報が記録され、表面に印刷情報が印刷された光情報記録媒体とに関し、例えばＣＤ−Ｒ、ＣＤ＋Ｒ、ＣＤ−ＲＷ、ＣＤ＋ＲＷ、ＤＶＤ−Ｒ、ＤＶＤ＋Ｒ、ＤＶＤ−ＲＷ、ＤＶＤ＋ＲＷ、ＤＶＤ−ＲＡＭ等に用いて好適な情報記録再生装置、情報印刷方法及び光情報記録媒体に関する。
【背景技術】
【０００２】
近時、情報の書き込みが可能な光情報記録媒体、例えばＣＤ−ＲやＤＶＤ−Ｒ等に対して情報を記録した後の管理方法としては、情報を光情報記録媒体の一方の面から内部にある情報記録面に記録した後、他方の面、すなわち、印刷可能面（ラベル面）に、内部に記録した情報に関するコメントや画像を手書きやシールの貼り付けといった方法で表示し、管理するようにしていた。
【０００３】
しかし、光情報記録媒体を情報記録再生装置から取り出した後に、上述のような手書きやシールの貼り付けを行うと、１枚だけならユーザが覚えているため、正確な情報を手書き等することができるが、複数枚の光情報記録媒体に対して、手書き等をする場合、どの光情報記録媒体に何の情報が記録されているかを認識することができず、再び情報記録再生装置にセットして確認しなければならず、面倒である。
【０００４】
そこで、従来では、１つの情報記録再生装置に、情報の記録再生手段のほか、印刷手段を設け、光情報記録媒体に情報を記録した後に、印刷手段にてレーベル等を印刷する方法が提案されている（例えば特許文献１〜３）。
【０００５】
【特許文献１】特開平５−２３８００５号公報
【特許文献２】特開２０００−２２８０３６号公報
【特許文献３】特開２００４−１１０９９４号公報
【発明の開示】
【発明が解決しようとする課題】
【０００６】
しかしながら、特許文献１及び３に記載の技術は、光情報記録媒体を回転させながらインクジェット方式にて印刷を行うようにしているため、インクの噴射速度、着弾位置等を光情報記録媒体の回転に応じて計算する必要があり、さらに、印刷情報を計算された噴射速度や着弾位置等に応じて変形させる等、情報の演算処理に係る時間が膨大になるという問題がある。しかも、回転中の光情報記録媒体にインクを噴射することから、インクが放射状に飛んでしまい、周辺部分をインクで汚してしまうという新たな問題もある。
【０００７】
また、光情報記録媒体をスピンドルモータに装着した状態で印刷を行うようにしていることから、光情報記録媒体をスピンドルモータに保持するためのチャッキング機構が印刷ヘッドの動作範囲に入ってしまい、印刷ヘッドとチャッキング機構とが干渉するという問題がある。
【０００８】
一方、特許文献２に記載の技術は、多数の光情報記録媒体に対して情報を記録する情報記録部と、情報が書き込まれた後の記録済の多数の記録媒体の表面に印刷を行う印刷部と、印刷後の多数の記録媒体を回収する回収部とが独立に配置されているため、サイズが大きくなり、業務用であれば、問題はないと思われるが、一般ユーザ用としては、設置スペース等、問題が生じる。
【０００９】
本発明はこのような課題を考慮してなされたものであり、光情報記録媒体の内部に記録された情報に関する情報（画像情報や文字情報等）を簡便に、且つ、周辺を汚すことなく、正確に印刷することができ、一般ユーザによる光情報記録媒体への情報記録の普及を促進させることができる情報記録再生装置、情報印刷方法及び光情報記録媒体を提供することを目的とする。
【課題を解決するための手段】
【００１０】
本発明に係る情報記録再生装置は、１つの筐体と、前記筐体内に設置され、且つ、前記筐体内に収容された光情報記録媒体に対して情報の記録及び／又は再生を行う記録再生部と、前記筐体内の前記記録再生部とは異なる位置に設置され、且つ、前記記録再生部にて情報の記録及び／又は再生が行われた前記光情報記録媒体の印刷可能面に対して画像や文字を含む印刷情報の印刷を行う印刷部とを有することを特徴とする。
【００１１】
通常、回転駆動部に保持した状態の光情報記録媒体に印刷情報を印刷する場合、光情報記録媒体は回転駆動部によって回転自在とされるため、少しの振動でも回転し易い状態になっている。従って、印刷部による印刷情報の印刷時に光情報記録媒体が回転してしまい、インクが周辺に散らばったり、印刷品質が劣化するという不測の事態が発生するおそれがある。
【００１２】
しかし、この発明では、筐体内の記録再生部とは異なる位置に設置された印刷部で印刷情報を印刷するようにしているため、印刷部による印刷情報の印刷時に光情報記録媒体が回転するという不測の事態を回避することができ、周辺を汚すことなく、正確に印刷することができる。
【００１３】
また、印刷部として例えばインクジェット方式を想定したとき、該インクジェット方式の印刷ヘッドからのインクの飛沫が飛んだとしても、記録再生部まで到達することがないため、記録再生部をインクで汚すことがない。
【００１４】
さらに、印刷部の具体的構造を記録再生部に対する種々の干渉を考慮して作製する必要がないため、印刷部の設計の自由度を向上させることができる。
【００１５】
すなわち、本発明においては、光情報記録媒体の内部に記録された情報に関する情報（画像情報や文字情報等）を簡便に、且つ、周辺を汚すことなく、正確に印刷することができ、一般ユーザによる光情報記録媒体への情報記録の普及を促進させることができる。
【００１６】
そして、前記構成において、前記記録再生部は、前記筐体に収容された１つの光情報記録媒体に対して情報の記録及び／又は再生を行い、前記印刷部は、前記記録再生部にて情報の記録及び／又は再生が行われた前記１つの光情報記録媒体の印刷可能面に対して前記印刷情報の印刷を行うようにしてもよい。
【００１７】
また、前記構成において、前記筐体に設けられ、且つ、前記光情報記録媒体を前記筐体内に収容し、さらに、前記光情報記録媒体を前記筐体外に排出するための開口と、前記筐体内に設置され、且つ、前記開口を介して前記筐体内に収容された前記光情報記録媒体を、前記記録再生部と前記印刷部とに搬送する搬送機構を有するようにしてもよい。
【００１８】
また、前記構成において、前記記録再生部は、前記開口を介して収容された前記光情報記録媒体に対して情報の記録及び／又は再生を行い、前記印刷部は、前記記録再生部にて情報の記録及び／又は再生が行われた前記光情報記録媒体の印刷可能面に対して前記印刷情報の印刷を行い、前記搬送機構は、前記記録再生部にて情報の記録及び／又は再生が行われた前記前記光情報記録媒体を前記印刷部に搬送し、前記印刷部にて前記印刷情報が印刷された前記光情報記録媒体を前記記録再生部に搬送し、前記記録再生部は、前記搬送機構によって搬送された前記光情報記録媒体を前記開口を介して排出するようにしてもよい。
【００１９】
あるいは、前記搬送機構は、前記開口を介して収容された前記光情報記録媒体を前記記録再生部に搬送し、前記記録再生部にて情報の記録及び／又は再生が行われた前記前記光情報記録媒体を前記印刷部に搬送し、前記印刷部は、前記記録再生部にて情報の記録及び／又は再生が行われた前記光情報記録媒体の印刷可能面に対して前記印刷情報の印刷を行い、前記開口を介して前記光情報記録媒体を排出するようにしてもよい。
【００２０】
また、前記構成において、前記筐体は、前記光情報記録媒体を前記筐体内に収容するための挿入口と、前記光情報記録媒体を前記筐体外に排出するための取出し口とを有し、前記記録再生部は、前記挿入口を介して挿入された前記光情報記録媒体に対して情報の記録及び／又は再生を行い、前記印刷部は、前記記録再生部にて情報の記録及び／又は再生が行われた前記光情報記録媒体の印刷可能面に対して前記印刷情報の印刷を行い、前記取出し口を介して前記光情報記録媒体を排出するようにしてもよい。
【００２１】
この場合、前記筐体内に設置され、前記記録再生部にて情報の記録及び／又は再生が行われた前記光情報記録媒体を、前記筐体内において前記印刷部に搬送する搬送機構を有するようにしてもよい。搬送機構としては、例えばガイドレールに沿って搬送させる方式や真空チャック方式を好ましく採用することができる。
【００２２】
これにより、情報の記録及び／又は再生が行われた前記光情報記録媒体を、搬送機構によってスムーズに印刷部に搬送することができ、記録再生部と印刷部をそれぞれ独立した系として１つの筐体内に設置することができる。
【００２３】
また、前記構成において、前記記録再生部は、前記挿入口を介して挿入された１つの光情報記録媒体に対して情報の記録及び／又は再生を行い、前記印刷部は、前記記録再生部にて情報の記録及び／又は再生が行われた前記１つの光情報記録媒体の印刷可能面に対して前記印刷情報の印刷を行い、前記取出し口を介して前記１つの光情報記録媒体を排出するようにしてもよい。
【００２４】
すなわち、枚葉方式で光情報記録媒体に対して情報の記録及び／又は再生、並びに印刷を行うことができ、筐体のサイズを小さくすることができる。これは、記録再生部と印刷部を有する情報記録再生装置の設置に係る省スペース化を実現でき、一般ユーザ用として市場に提供することができる。
【００２５】
また、前記構成において、前記挿入口及び前記取出し口は共に、前記筐体の１つの面に設けられていてもよい。これにより、家庭用として、当該情報記録再生装置単体として配置するようにしてもよいし、その他、例えば他のオーディオ製品と共にコンポーネントとして配置することもできるため、配置において汎用性に富ませることができる。なお、光情報記録媒体の搬送機構として、ガイドレールに沿って光情報記録媒体を搬送する方式を採用した場合、記録再生部から印刷部に光情報記録媒体を搬送するための第１経路、記録再生部から第１経路に光情報記録媒体を搬送するための第２経路、第１経路から印刷部に光情報記録媒体を搬送するための第３経路が考えられる。
【００２６】
また、前記構成において、前記挿入口は、前記筐体の１つの面に設けられ、前記取出し口は、前記筐体の前記１つの面とは異なる面に設けられていてもよい。この場合、前記筐体は４つの側面を有し、前記挿入口は、４つの側面のうち、１つの側面に設けられ、前記取出し口は、前記４つの側面のうち、前記１つの側面とは反対側の側面に設けられていてもよい。これにより、例えば１つの延長線上に挿入口と取出し口を配置することができるため、光情報記録媒体の搬送経路を単純化でき、光情報記録媒体の搬送機構を簡単化することができる。例えば搬送機構としてガイドレールに沿って光情報記録媒体を搬送する方式を採用した場合、上述した第１経路、第２経路及び第３経路を共通化することが可能となり、搬送機構の構造の簡略化を図ることができる。
【００２７】
また、前記筐体は４つの側面を有し、前記挿入口は、４つの側面のうち、１つの側面に設けられ、前記取出し口は、前記４つの側面のうち、前記１つの側面と隣接する側面に設けられていてもよい。この場合、搬送機構は上述した例よりも複雑になるおそれはあるが、家庭用として部屋の隅等に配置する場合に好適である。
【００２８】
また、前記構成において、前記記録再生部は、前記光情報記録媒体が載置される第１トレイと、前記筐体内に設置され、前記第１トレイを前記挿入口に対して出し入れ自在に移動させる第１トレイ移動機構とを有し、前記印刷部は、前記光情報記録媒体が載置される第２トレイと、前記筐体内に設置され、前記第２トレイを前記取出し口に対して出し入れ自在に移動させる第２トレイ移動機構とを有するようにしてもよい。
【００２９】
次に、本発明に係る情報印刷方法は、１つの筐体と、前記筐体内に設置され、且つ、前記筐体内に収容された前記光情報記録媒体に対して情報の記録及び／又は再生を行う記録再生部とを有する情報記録再生装置にて使用される情報印刷方法において、前記記録再生部にて情報の記録及び／又は再生が行われた前記光情報記録媒体を、前記筐体内における前記記録再生部とは異なる位置に搬送した後、前記光情報記録媒体の印刷可能面に対して画像や文字を含む印刷情報の印刷を行うことを特徴とする。
【００３０】
これにより、光情報記録媒体の内部に記録された情報に関する情報（画像情報や文字情報等）を簡便に、且つ、周辺を汚すことなく、正確に印刷することができ、一般ユーザによる光情報記録媒体への情報記録の普及を促進させることができる。
【００３１】
そして、前記方法において、前記筐体に収容された１つの光情報記録媒体に対して情報の記録及び／又は再生を行い、前記情報の記録及び／又は再生が行われた前記１つの光情報記録媒体の印刷可能面に対して前記印刷情報の印刷を行うようにしてもよい。
【００３２】
また、前記方法において、前記筐体に設けられた開口を介して収容された前記光情報記録媒体に対して情報の記録及び／又は再生を行い、前記情報の記録及び／又は再生が行われた前記光情報記録媒体を、前記筐体内における前記記録再生部とは異なる位置に搬送した後、前記光情報記録媒体の印刷可能面に対して前記印刷情報の印刷を行い、搬送された前記光情報記録媒体を前記開口を介して排出するようにしてもよい。
【００３３】
また、前記方法において、前記筐体は、前記光情報記録媒体を前記筐体内に収容するための挿入口と、前記光情報記録媒体を前記筐体外に排出するための取出し口とを有し、前記記録再生部は、前記挿入口を介して挿入された前記光情報記録媒体に対して情報の記録及び／又は再生を行い、前記情報の記録及び／又は再生が行われた前記光情報記録媒体の印刷可能面に対して前記印刷情報の印刷を前記筐体内において行い、前記取出し口を介して前記光情報記録媒体を排出するようにしてもよい。
【００３４】
この場合、前記記録再生部にて情報の記録及び／又は再生が行われた前記光情報記録媒体を、前記筐体内における前記記録再生部とは異なる位置に搬送した後、前記光情報記録媒体の印刷可能面に対して前記印刷情報の印刷を行うようにしてもよい。
【００３５】
また、前記方法において、前記挿入口を介して挿入された１つの光情報記録媒体に対して情報の記録及び／又は再生を行い、前記情報の記録及び／又は再生が行われた前記１つの光情報記録媒体の印刷可能面に対して前記印刷情報の印刷を行い、前記取出し口を介して前記１つの光情報記録媒体を排出するようにしてもよい。
【００３６】
次に、本発明に係る光情報記録媒体は、内部に情報が記録され、且つ、上述した情報印刷方法に係る発明によって印刷情報が印刷されていることを特徴とする。これにより、１以上の光情報記録媒体を、印刷された情報を基に、簡単に、且つ、正確に管理することができ、一般ユーザによる光情報記録媒体への情報記録の普及を促進させることができる。
【発明の効果】
【００３７】
以上説明したように、本発明に係る情報記録再生装置、情報印刷方法及び光情報記録媒体によれば、光情報記録媒体の内部に記録された情報に関する情報（画像情報や文字情報等）を簡便に、且つ、周辺を汚すことなく、正確に印刷することができ、一般ユーザによる光情報記録媒体への情報記録の普及を促進させることができる。
【発明を実施するための最良の形態】
【００３８】
以下、本発明に係る情報記録再生装置、情報印刷方法及び光情報記録媒体を、例えばレーザ光を用いて情報の記録及び再生を行うことができる光情報記録媒体（光ディスク）に適用した実施の形態例（以下、単に実施の形態に係る情報記録再生装置と記す）を図１〜図２２Ｆを参照しながら説明する。
【００３９】
第１の実施の形態に係る情報記録再生装置１０Ａは、図１に示すように、筐体１２と、該筐体１２内に設置され、且つ、光ディスク１４に対して情報の記録及び／又は再生を行う記録再生部１６と、同じく筐体１２内に設置され、且つ、記録再生部１６を移動駆動する記録再生系移動機構１８と、同じく筐体１２内に設置され、且つ、光ディスク１４の印刷可能面２０に対して画像や文字等の印刷情報の印刷を行う印刷部２２と、光ディスク１４を、記録再生部１６と印刷部２２とに搬送する搬送機構２４とを有する。
【００４０】
印刷情報としては、光ディスク１４に記録した情報のタイトル、記録日時、記録時間、画質（倍速の情報等）、放送チャンネル等の画像ソースや、代表画像のサムネイル等がある。また、印刷される画像としては、写真や絵の画像のほか、記号やバーコード等のような画像を含み、目視あるいは拡大鏡、顕微鏡等で拡大して認識できるもの全てを含む。従って、概ね１０μｍ以上のパターンを含む。
【００４１】
筐体１２の１つの側面１２ａには、第１トレイ２６が出し入れされる挿入口２８と第２トレイ３０が出し入れされる取出し口３２とが設けられている。また、筐体１２内には、第１トレイ２６を挿入口２８に対して出し入れ自在に移動させる第１トレイ移動機構３４と、第２トレイ３０を取出し口３２に対して出し入れ自在に移動させる第２トレイ移動機構３６とが設置されている。
【００４２】
記録再生部１６は、図２に示すように、スピンドルモータ３８を有し、光ディスク１４をＣＬＶ（線速度一定）方式あるいはＣＡＶ（角速度一定）方式で回転させる回転駆動部４０と、光ディスク１４の一方の面（印刷可能面２０と反対の面）に対向して配置され、光ディスク１４に対して情報の記録を行う記録ヘッド４２と、同じく光ディスク１４の一方の面に対向して配置され、光ディスク１４に記録された情報（位置情報を含む）を再生する再生ヘッド４４と、これら記録ヘッド４２及び再生ヘッド４４を光ディスク１４の径方向に移動させる記録再生ヘッド移動機構４６と、第１トレイ２６に載置された光ディスク１４をスピンドルモータ３８に保持するチャッキング機構４８と、これら回転駆動部４０、記録ヘッド４２、再生ヘッド４４、記録再生ヘッド移動機構４６、チャッキング機構４８等を制御する制御部５０とを有する。
【００４３】
記録再生部１６は、また、スピンドルモータ３８を光ディスク１４の一方の面に対して往復移動させるモータ移動機構５２を有する。このモータ移動機構５２は、制御部５０からの指令に基づいて、スピンドルモータ３８を、光ディスク１４の一方の面に対して接近する方向と離間する方向に移動させる。
【００４４】
また、これらチャッキング機構４８及び回転駆動部４０は、搬送機構２４（図１参照）による搬送時以外は、第１トレイ２６に載置された光ディスク１４をスピンドルモータ３８に保持できるように、記録再生系移動機構１８によって、それぞれ第１駆動位置Ｐ２１及び第２駆動位置Ｐ２２に位置される。同様に、記録ヘッド４２及び再生ヘッド４４は、スピンドルモータ３８に保持された光ディスク１４に対して情報の記録及び／又は再生が行えるように、記録再生系移動機構１８によって、第３駆動位置Ｐ２３に位置される。
【００４５】
一方、光ディスク１４に記録される情報は、例えばネットワークを通じてダウンロードしたプログラム情報、文書情報、画像情報（静止画情報、動画情報）や、他の記録媒体（例えばビデオテープ等）に記録された画像情報（静止画情報、動画情報）等であり、これらの情報は、図３に示すように、一旦、補助記憶装置５４に記録される。補助記憶装置５４としては、当該情報記録再生装置１０Ａがハードディスクを内蔵していれば、該ハードディスクを使用することができるほか、当該情報記録再生装置１０Ａに接続されるパーソナルコンピュータ（パソコン５６と記す）のハードディスク等を使用することができる。従って、記録再生部１６は、上述した構成要素のほか、補助記憶装置５４とフレームメモリ５８間のデータのやりとりを行う第１メモリ制御部６０と、フレームメモリ５８と記録ヘッド４２や再生ヘッド４４側とのデータのやりとりを行う第２メモリ制御部６２とを有する。
【００４６】
以下の説明では、光ディスク１４に画像情報（静止画情報、動画情報）を記録する場合を主体に説明を行うが、プログラム情報、文書情報等においても簡単に適用させることができる。
【００４７】
補助記憶装置５４に記録されている画像情報は、１フレーム（例えば１／６０秒）単位に第１メモリ制御部６０によって順次読み出されてフレームメモリ５８に書き込まれ、フレームメモリ５８に書き込まれた１フレーム分の画像情報は第２メモリ制御部６２によって読み出されて記録ヘッド４２へ向けて出力される。第２メモリ制御部６２によって読み出された画像情報は、途中のデータ変換部６４において光ディスク１４の記録フォーマットに合わせたデータ形態に変換されて記録ヘッド４２に供給される。もちろん、記録ヘッド４２へのデータ供給に時間がかかる場合は、フレームメモリ５８として、２つのフレームメモリを交互に書き換え読み出しを行う、いわゆるデュアルメモリを使用するようにしてもよい。
【００４８】
再生ヘッド４４は、ＣＬＶ方式あるいはＣＡＶ方式で回転している光ディスク１４に対して再生用のレーザ光を照射し、光ディスク１４から反射する例えばウォブリングされたプリグルーブからの反射光や、アドレス用プリピットからの反射光によるアドレス信号に基づいて、画像情報を記録すべき位置（記録位置）を検出する。つまり、シーク動作が行われる。
【００４９】
そして、記録ヘッド４２は、記録用のレーザ光を、供給されたデータに基づいて変調し、再生ヘッド４４にて検出された記録位置に照射する。記録ヘッド４２と再生ヘッド４４とが１つのユニットとして構成されていれば、再生ヘッド４４にて記録位置が検出された時点で記録ヘッド４２による画像情報の記録が開始される。このようにして、上述の画像情報が順次光ディスク１４に記録されていくこととなる。なお、記録ヘッド４２による記録形式としては、有機色素材料を使用した記録方式や相変化記録方式等があるが、この記録再生部１６では、いずれの記録方式も採用可能である。
【００５０】
また、再生ヘッド４４は、上述した位置検出のほか、すでに画像データが記録されている光ディスク１４から画像データを再生する。
【００５１】
再生された画像データは、第２メモリ制御部６２、フレームメモリ５８及び第１メモリ制御部６０を介して補助記憶装置５４に記録される。
【００５２】
なお、情報記録再生装置１０Ａにモニタ６６やパソコン５６が接続されている場合においては、フレームメモリ５８に記録された画像情報が順次モニタ６６やパソコン５６に供給され、モニタ６６の画面やパソコン５６に接続されているモニタ６６の画面に画像情報が表示される。つまり、光ディスク１４に記録中あるいは光ディスク１４から再生中の画像情報がモニタ６６を通じて表示されることになる。
【００５３】
さらに、図２に示すように、制御部５０は、筐体１２の一部に設けられた操作部（図示せず）に対するユーザの操作入力に基づいて第１トレイ移動機構３４を駆動制御し、例えば第１トレイ２６の一部を挿入口２８を介して筐体１２外に移動駆動して、第１トレイ２６に光ディスク１４が載置できる程度まで、第１トレイ２６を筐体１２から突出させる。また、制御部５０は、前記操作部に対するユーザの操作入力に基づいて第１トレイ移動機構３４を駆動制御し、第１トレイ２６の一部を挿入口２８を介して筐体１２内に収容する。これにより、第１トレイ２６に光ディスク１４が載置されている場合は、光ディスク１４は完全に筐体１２内に収容される。このとき、図２に示すように、第１トレイ２６に載置された光ディスク１４の中心孔１４ａとスピンドルモータ３８の回転軸３８ａとがほぼ一致することとなる。
【００５４】
チャッキング機構４８は、スピンドルモータ３８の回転軸３８ａに設けられ、光ディスク１４の一方の面（例えば下面）の中央部分に対向する円盤状の強磁性体６８と、該強磁性体６８上に固定され、光ディスク１４の中心孔１４ａに挿入される円柱状の例えば金属製の挿入部材７０と、光ディスク１４の他方の面（例えば上面）の中央部分に対向する円盤状の例えば金属製のキャップ部材７２と、該キャップ部材７２を回転自在に支持するフック部材７４と、フック部材７４を光ディスク１４の他方の面（印刷可能面２０）に対して往復移動させるフック移動機構７６とを有する。このフック移動機構７６は、制御部５０からの指令に基づいて、フック部材７４及び該フック部材７４によって回転自在に支持されたキャップ部材７２を、光ディスク１４の他方の面に対して接近する方向と離間する方向に移動させる。
【００５５】
ここで、チャッキング機構４８の動作の一例について説明すると、まず、図２に示すように、第１トレイ２６の一部が筐体１２内に収容されて、第１トレイ２６に載置された光ディスク１４の中心孔１４ａの位置がスピンドルモータ３８の回転軸３８ａとほぼ一致した時点で、モータ移動機構５２によって、スピンドルモータ３８が一方向（例えば上方向）に移動し、これにより、図４に示すように、挿入部材７０が光ディスク１４の中心孔１４ａ内に挿入されると共に、強磁性体６８の一部が光ディスク１４の中心孔１４ａの周部に接して、該光ディスク１４を僅かに持ち上げる。このとき、挿入部材７０の一部が光ディスク１４の他方の面よりも上方に突出する形態となり、光ディスク１４は第１トレイ２６から離れる。
【００５６】
その後、フック移動機構７６によってフック部材７４及びキャップ部材７２が他方向（例えば下方向）に移動し、これにより、キャップ部材７２の底面が挿入部材７０の上面に接触すると共に、キャップ部材７２の側壁の端面が光ディスク１４の中心孔１４ａの周部に接する。これによって、キャップ部材７２が強磁性体６８に磁気吸引され、光ディスク１４はスピンドルモータ３８の回転軸３８ａに回転自在に保持されることになる。
【００５７】
反対に、スピンドルモータ３８への光ディスク１４の保持を解除する場合は、例えば制御部５０からの指令に基づいて、上述の動作とは逆の動作が行われて、光ディスク１４は再び第１トレイ２６に載置される。
【００５８】
次に、図５に示すように、記録再生系移動機構１８は、制御部５０からの搬送指令に基づいて、チャッキング機構４８及び回転駆動部４０を、上述した第１駆動位置Ｐ２１及び第２駆動位置Ｐ２２（図２参照）からそれぞれ第１退避位置Ｐ１１及び第２退避位置Ｐ１２に移動する。第１退避位置Ｐ１１及び第２退避位置Ｐ１２は、チャッキング機構４８及び回転駆動部４０がそれぞれ搬送機構２４の後述する搬送アーム７８及び真空チャック８０の動作範囲と干渉しない位置に設定されている。また、記録再生系移動機構１８は、制御部５０からの搬送指令に基づいて、記録ヘッド４２及び再生ヘッド４４を、上述した第３駆動位置Ｐ２３（図２参照）から第３退避位置Ｐ１３に移動する。第３退避位置Ｐ１３は、記録ヘッド４２及び再生ヘッド４４がそれぞれ搬送機構２４の搬送アーム７８及び真空チャック８０の動作範囲と干渉しない位置に設定されている。
【００５９】
次に、搬送機構２４は、図５に示すように、筐体１２内に設置された搬送アーム７８と、該搬送アーム７８に連結された真空チャック８０とを有する。搬送アーム７８は、真空チャック８０を、第１トレイ２６上と第２トレイ３０（図１参照）上との間を往復搬送させる。
【００６０】
すなわち、記録再生系移動機構１８によって、チャッキング機構４８、回転駆動部４０、並びに記録ヘッド４２及び再生ヘッド４４をそれぞれ第１退避位置Ｐ１１、第２退避位置Ｐ１２並びに第３退避位置Ｐ１３に移動された後、搬送アーム７８によって真空チャック８０が第１トレイ２６上に移動され、第１トレイ２６上に載置された光ディスク１４を吸引保持する。その後、搬送アーム７８によって真空チャック８０が第２トレイ３０（図１参照）上に搬送され、真空チャック８０による真空吸引が解除されることで、光ディスク１４は第２トレイ３０に載置される。このとき、記録再生系移動機構１８によって、チャッキング機構４８、回転駆動部４０並びに記録ヘッド４２及び再生ヘッド４４は再び第１駆動位置Ｐ２１、第２駆動位置Ｐ２２並びに第３駆動位置Ｐ２３（図２参照）にそれぞれ移動され、次の光ディスク１４の挿入を待つ。
【００６１】
次に、印刷部２２は、例えばインクジェット方式の印刷を想定すると、図６に示すように、印刷情報が記憶されるビデオメモリ８２と、該ビデオメモリ８２に対して印刷情報を書き込んだり、ビデオメモリ８２から順次印刷情報を読み出したりする第３メモリ制御部８４と、ビデオメモリ８２からの印刷情報を、第２トレイ３０に載置された光ディスク１４の印刷可能面２０にインクジェット方式にて印刷する印刷ヘッド８６と、該印刷ヘッド８６に対して複数のインク８８を供給するインク供給部９０と、印刷ヘッド８６を所定方向（ｘ軸方向）に移動駆動する印刷ヘッド移動機構９２と、これら第３メモリ制御部８４、印刷ヘッド８６、印刷ヘッド移動機構９２を制御する制御部９４とを有する。
【００６２】
印刷ヘッド移動機構９２は、例えば第２トレイ３０の上方において、印刷ヘッド８６をｘ軸方向に案内するガイドレール９６と、印刷ヘッド８６に設けられ、且つ、該印刷ヘッド８６を自走式にガイドレール９６に沿って移動駆動する例えばボイスコイルモータ９８とを有する。
【００６３】
また、第２トレイ移動機構３６と印刷ヘッド移動機構９２にはそれぞれエンコーダ９７及び９９が取り付けられ、印刷ヘッド８６のｘ軸方向の位置とｙ軸方向の位置が制御部９４において電気的に認識できるようになっている。
【００６４】
そして、この第１の実施の形態では、図６に示すように、印刷ヘッド８６は、第２トレイ移動機構３６と印刷ヘッド移動機構９２とによる駆動制御によって、第２トレイ３０に載置された光ディスク１４の印刷可能面２０とほぼ平行な面（ｘ軸方向とｙ軸方向で形成される面：二点鎖線１００で示す）に沿って二次元的に走査するように動くこととなる。つまり、この第１の実施の形態では、図７に示すように、第２トレイ移動機構３６（図６参照）によって、例えば光ディスク１４が載置された第２トレイ３０の一部が取出し口３２から出る方向に移動する際に、ボイスコイルモータ９８によって印刷ヘッド８６がガイドレール９６に沿ってｘ軸方向について多数回の往復が行われることにより、光ディスク１４の印刷可能面２０に対する印刷ヘッド８６の二次元走査が行われることとなる。
【００６５】
なお、印刷ヘッド８６は、搬送機構２４によって光ディスク１４が第２トレイ３０に搬送される際に、該光ディスク１４の搬送経路と干渉しない位置に位置されている。
【００６６】
また、印刷ヘッド８６は、図８に示すように、複数のインクジェット方式のノズル１０２が例えばマトリックス状に設けられた領域（ノズル領域１０４）を有する。特に、この例では、ノズル領域１０４の長辺１０４ａと、印刷ヘッド８６の往復回数の多いｘ軸方向とが直交するように印刷ヘッド８６が設置されることとなる。この場合、印刷のための画像処理が簡便になり、印刷速度を速めることができる。もちろん、ノズル領域１０４の長辺１０４ａとｘ軸方向とのなす角を９０°以外の角度にしてもよい。この場合、印刷の解像度が高くなることから、高精細な画像の印刷が可能になるが、印刷のための画像処理が複雑になるため、印刷速度が遅くなるおそれがある。仕様によって使い分けるようにすればよい。
【００６７】
また、ビデオメモリ８２（図６参照）は、例えば印刷ヘッド８６にて印刷される画像データや文字データが格納されている。ビデオメモリ８２のうち、画像データや文字データが格納されていないアドレスには例えば初期値「０」が格納されている。
【００６８】
例えばユーザによる操作入力に従って、光ディスク１４に記録される画像情報あるいは他の画像情報から抽出された１以上のフレームの画像データが、ビデオメモリ８２のうち、ユーザからの操作入力に従ったアドレスに格納される。また、ユーザによる操作入力に従って入力された文字データもビデオメモリ８２のうち、ユーザからの操作入力に従ったアドレスに格納される。
【００６９】
画像データの抽出は、図３に示すように、例えば補助記憶装置５４に記憶された画像情報をモニタ６６の画面上に映し出しながら光ディスク１４に記録している場合においては、ユーザが気に入った画像が映し出された時点で既知の入力装置（マウス等）によってキャプチャ指示を行う、あるいはランダムにキャプチャ指示を行うことで抽出することができる。
【００７０】
あるいは、既に画像情報が記録された光ディスク１４を再生しながら、ユーザが気に入った画像が映し出された時点で既知の入力装置によってキャプチャ指示を行う、あるいはランダムにキャプチャ指示を行うことで抽出することができる。
【００７１】
あるいは、ユーザが、パソコン５６を使ってネットワークに接続されているＷｅｂサーバ上のＷｅｂページ（ホームページを含む）を表示している場合においては、光ディスク１４に記録される画像情報に因んだ画像（参照画像）をダウンロードし、さらに、既知の入力装置によってキャプチャ指示を行うことで抽出することができる。
【００７２】
そして、ビデオメモリ８２に格納された画像データや文字データを、いわゆるサムネイル方式でモニタ６６に表示しながら既知の入力装置によって配置換えする等の操作をすることにより、光ディスク１４に印刷すべき印刷情報を作成することができる。
【００７３】
その後、ユーザが操作部にある例えば取出しボタンを操作することによって、制御部５０から光ディスク１４の取出し指令が出力され、この取出し指令に基づいて、第２トレイ３０が排出移動している間に、光ディスク１４に対する印刷処理が行われる。
【００７４】
すなわち、第２トレイ移動機構３６によって、第２トレイ３０の一部が取出し口３２を介して筐体１２外に突出する方向（ｙ軸方向）に第２トレイ３０を移動させる間に、印刷ヘッド８６がボイスコイルモータ９８によってガイドレール９６に沿ってｘ軸方向に複数回往復移動する。このとき、図６に示すように、第３メモリ制御部８４は、制御部９４からの制御に従って、この印刷ヘッド８６の移動に合わせて、且つ、ビデオメモリ８２のうち、印刷ヘッド８６の位置に対応したアドレスから順次データ（初期値「０」、画像データ、文字データを含む）を読み出して印刷ヘッド８６に供給する。印刷ヘッド８６に供給されたデータが、初期値であれば、印刷は行わず、画像データや文字データであれば、画像データや文字データに応じたインクを噴射する。これによって、第２トレイ３０に載置されている光ディスク１４の印刷可能面２０にビデオメモリ８２に格納された画像データや文字データが印刷されることになる。つまり、図９に示すように、光ディスク１４の印刷可能面２０に、ユーザが編集した画像データ１０６や文字データ１０８が印刷されることとなる。
【００７５】
ここで、第１の実施の形態に係る情報記録再生装置１０Ａの使用形態の一例について図１０Ａ〜図１０Ｅを参照しながら簡単に説明する。
【００７６】
まず、図１０Ａに示すように、第１トレイ２６に光ディスク１４を載置し、その後、筐体１２の操作部に対するユーザの操作入力に基づいて、第１トレイ移動機構３４（図１参照）によって第１トレイ２６が筐体１２に収容される。光ディスク１４の収容が終了した段階で、図１０Ｂに示すように、光ディスク１４に対して記録再生部１６による情報の記録及び／又は再生が行われる（図２〜図４参照）。
【００７７】
その後、記録再生系移動機構１８によって記録再生部１６が退避位置に移動し（図５参照）、その後、図１０Ｃに示すように、搬送機構２４によって光ディスク１４が第１トレイ２６から第２トレイ３０に搬送される。第２トレイ３０に光ディスク１４が載置された段階で、図１０Ｄに示すように、印刷部２２による印刷が開始され、図１０Ｅに示すように、第２トレイ移動機構３６と印刷ヘッド移動機構９２によって印刷ヘッド８６が光ディスク１４の印刷可能面２０に対して二次元走査されて、該印刷可能面２０に印刷情報の印刷が行われ（図６参照）、同時に第２トレイ３０の一部が取出し口３２から突出することになる（図７参照）。
【００７８】
上述の使用形態では、搬送機構２４によって光ディスク１４が第１トレイ２６から第２トレイ３０に搬送された後、第２トレイ３０が取出し口３２の方向に向かって移動すると共に印刷ヘッド８６がｘ軸方向に移動することで、第２トレイ３０上の光ディスク１４に印刷を行うようにしたが、別の使用形態では、第２トレイ３０への光ディスク１４の搬送から光ディスク１４への印刷処理の間に、図１１Ａ〜図１１Ｃに示すように、第１トレイ２６に別の光ディスク１４を載置して、該別の光ディスク１４に対する情報の記録及び／又は再生を行うようにしてもよい。
【００７９】
このように、第１の実施の形態に係る情報記録再生装置１０Ａにおいては、１つの筐体１２と、該筐体１２内に設置され、且つ、筐体１２内に収容された光ディスク１４に対して情報の記録及び／又は再生を行う記録再生部１６と、筐体１２内の記録再生部１６とは異なる位置に設置され、且つ、記録再生部１６にて情報の記録及び／又は再生が行われた光ディスク１４の印刷可能面２０に対して印刷情報の印刷を行う印刷部２２とを有するようにしている。
【００８０】
従来のように、スピンドルモータ３８に保持された光ディスク１４に対して印刷情報を印刷する場合、光ディスク１４がチャッキング機構４８にて保持されていても、該スピンドルモータ３８によって回転自在とされるため、少しの振動でも回転し易い状態になっている。従って、印刷部２２による印刷情報の印刷時に光ディスク１４が回転してしまい、インクが周辺に散らばったり、印刷品質が劣化するという不測の事態が発生するおそれがある。
【００８１】
しかし、この第１の実施の形態では、筐体１２内の記録再生部１６とは異なる位置に設置された印刷部２２で印刷情報を印刷するようにしているため、印刷ヘッド８６による印刷情報の印刷時に光ディスク１４が回転するという不測の事態を回避することができ、周辺を汚すことなく、正確に印刷することができる。
【００８２】
また、印刷ヘッド８６からのインクの飛沫が飛んだとしても、記録再生部１６の記録ヘッド４２及び再生ヘッド４４まで到達することがないため、記録ヘッド４２及び再生ヘッド４４をインクで汚すことがない。
【００８３】
しかも、この第１の実施の形態では、１つの筐体１２内に、記録再生部１６、印刷部２２及び搬送機構２４を設置するようにしたので、これら記録再生部１６、印刷部２２及び搬送機構２４の駆動によって筐体１２内の温度が上昇し、光ディスク１４の印刷可能面２０に印刷されたインクを早期に乾燥させることができる。
【００８４】
もちろん、インクの乾燥を早めるために、筐体１２に乾燥機構を設けたり、ファンを設けるようにしてもよいが、図１２に示すように、筐体１２の１つのコーナー部付近に孔１１０を設け、さらに、前記コーナー部と対角の関係にある別のコーナー部付近に孔１１２を設けることで、外気を筐体１２内に流通させるようにしてもよい。図１２の例では、筐体１２の上面１１４における４つのコーナーのうち、取出し口３２が設置された側のコーナー部１１５に近接する部分に孔１１０を設け、筐体１２の４つの側面１２ａ〜１２ｄのうち、前記コーナー部１１５と対角の位置にあるコーナー部１１６を含む側面１２ｃの前記コーナー部１１６に近接する部分に孔１１２を設けるようにしている。この図１２の例の場合、構造が簡単であるため、一般ユーザ用として好ましく採用することができる。
【００８５】
さらに、この第１の実施の形態では、印刷部２２の具体的構造を記録再生部１６に対する種々の干渉を考慮して作製する必要がないため、印刷部２２の設計の自由度を向上させることができる。
【００８６】
また、記録再生部１６にて情報の記録及び／又は再生が行われた光ディスク１４を、筐体１２内において印刷部２２に搬送する搬送機構２４を有するようにしたので、情報の記録及び／又は再生が行われた光ディスク１４を、搬送機構２４によってスムーズに印刷部２２に搬送することができ、記録再生部１６と印刷部２２をそれぞれ独立した系として１つの筐体１２内に設置することができる。
【００８７】
さらに、この第１の実施の形態では、枚葉方式で光ディスク１４に対して情報の記録及び／又は再生、並びに印刷を行うようにしたので、筐体１２のサイズを小さくすることができる。これは、記録再生部１６と印刷部２２を有する情報記録再生装置１０Ａの設置に係る省スペース化を実現でき、一般ユーザ用として市場に提供する場合に有利となる。
【００８８】
このように、第１の実施の形態に係る情報記録再生装置１０Ａにおいては、光ディスク１４の内部に記録された情報に関する情報（画像情報や文字情報等）を簡便に、且つ、周辺を汚すことなく、正確に印刷することができ、一般ユーザによる光ディスク１４への情報記録の普及を促進させることができる。
【００８９】
また、挿入口２８及び取出し口３２を共に、筐体１２の１つの側面１２ａに設けるようにしたので、家庭用として、当該情報記録再生装置１０Ａ単体として配置するようにしてもよいし、その他、例えば他のオーディオ製品と共にコンポーネントとして配置することもできるため、配置において汎用性に富ませることができる。
【００９０】
なお、光ディスク１４の搬送機構２４として、例えばガイドレールに沿って光ディスクを搬送する方式を採用した場合、図１３に示すように、記録再生部１６から印刷部２２に光ディスク１４を搬送するための第１経路１２０Ａ、記録再生部１６から第１経路１２０Ａに光ディスク１４を搬送するための第２経路１２０Ｂ（第１トレイ移動機構３４を含む）、第１経路１２０Ａから印刷部２２に光ディスク１４を搬送するための第３経路１２０Ｃ（第２トレイ移動機構３６を含む）が考えられる。
【００９１】
また、印刷部２２の他の例としては、図１４に示すように、印刷ヘッド８６をｘ軸方向に移動させる第１印刷ヘッド移動機構９２Ａと、印刷ヘッド８６をｙ軸方向に移動させる第２印刷ヘッド移動機構９２Ｂとを設けるようにしてもよい。
【００９２】
この場合、第１印刷ヘッド移動機構９２Ａは、上述した印刷ヘッド移動機構９２（図６参照）とほぼ同じ構成とされ、ガイドレール９６Ａとボイスコイルモータ９８Ａとを有する。第２印刷ヘッド移動機構９２Ｂは、ｙ軸方向に延びる第２ガイドレール９６Ｂと第２ボイスコイルモータ９８Ｂとを有し、例えば第１印刷ヘッド移動機構９２Ａのガイドレール９６Ａをｙ軸方向に移動することにより、印刷ヘッド８６をｙ軸方向に移動できるようになっている。
【００９３】
第１印刷ヘッド移動機構９２Ａと第２印刷ヘッド移動機構９２Ｂに、それぞれエンコーダ９９Ａ及び９９Ｂを取り付け、印刷ヘッド８６のｘ軸方向の位置とｙ軸方向の位置が制御部９４において電気的に認識できるようにしてもよい。
【００９４】
次に、第１の実施の形態に係る情報記録再生装置１０Ａのいくつかの変形例について図１５〜図１８を参照しながら説明する。
【００９５】
まず、第１の変形例に係る情報記録再生装置１０Ａａは、図１５に示すように、筐体１２が例えば４つの側面１２ａ〜１２ｄを有する場合に、挿入口２８が、４つの側面１２ａ〜１２ｄのうち、例えば第１側面１２ａに設けられ、取出し口３２が、第１側面１２ａとは反対側の第２側面１２ｂに設けられている点で異なる。
【００９６】
これにより、例えば１つの延長線上に挿入口２８と取出し口３２を配置することができるため、光ディスク１４の搬送経路を単純化でき、光ディスク１４の搬送機構２４を簡単化することができる。例えば搬送機構２４としてガイドレールに沿って光ディスク１４を搬送する方式を採用した場合、図１６に示すように、上述した第１経路１２０Ａ、第２経路１２０Ｂ及び第３経路１２０Ｃ（図１３参照）を共通化して１つの経路１２０とすることが可能となり、搬送機構２４の構造の簡略化を図ることができる。もちろん、搬送機構２４として上述した搬送アーム７８及び真空チャック８０による機構を用いてもよい。
【００９７】
第２の変形例に係る情報記録再生装置１０Ａｂは、図１７に示すように、筐体１２が例えば４つの側面１２ａ〜１２ｄを有する場合に、挿入口２８が、４つの側面１２ａ〜１２ｄのうち、第１側面１２ａに設けられ、取出し口３２が、第１側面１２ａと隣接する側面（例えば第４側面１２ｄ）に設けられている点で異なる。これは、家庭用として、部屋の隅等に配置する場合に好適である。
【００９８】
また、搬送機構２４としてガイドレールに沿って光ディスク１４を搬送する方式を採用した場合、図１８に示すように、上述した第１経路１２０Ａ（図１３参照）を省略して、第２経路１２０Ｂ及び第３経路１２０Ｃとすることができる。もちろん、搬送機構２４として上述した搬送アーム７８及び真空チャック８０による機構を用いてもよい。
【００９９】
次に、第２の実施の形態に係る情報記録再生装置１０Ｂについて図１９を参照しながら説明する。
【０１００】
この第２の実施の形態に係る情報記録再生装置１０Ｂは、図１９に示すように、上述した第１の実施の形態に係る情報記録再生装置１０Ａとほぼ同様の構成を有するが、上述した挿入口２８及び取出し口３２の代わりに、筐体１２に光ディスク１４を出し入れするための１つの開口１３０が設けられている点で異なる。
【０１０１】
そして、筐体１２内には、トレイ１３２を開口１３０に対して出し入れ自在に移動させるトレイ移動機構１３４が設置されている。記録再生部１６及び記録再生系移動機構１８は、第１の実施の形態に係る情報記録再生装置１０Ａと同じ構成であるため、詳細説明は省略する。
【０１０２】
印刷部２２は、上述した図１４に示す印刷部２２とほぼ同様の構成を有するが、第２トレイ３０の代わりに、光ディスク１４が載置される基台１３６である点で異なる。基台１３６は、筐体１２内に固定されている。
【０１０３】
搬送機構２４は、図５に示すように、真空チャック方式を採用した場合、搬送アーム７８によって真空チャック８０を、トレイ１３２上と基台１３６上との間を往復搬送させる構成となっている。
【０１０４】
ここで、第２の実施の形態に係る情報記録再生装置１０Ｂの動作について図２０Ａ〜図２０Ｆを参照しながら説明する。
【０１０５】
まず、図２０Ａに示すように、トレイ１３２に載置された光ディスク１４がトレイ移動機構１３４（図１９参照）によって筐体１２内に収容されると、図２０Ｂに示すように、記録再生部１６によって光ディスク１４に対して情報の記録及び／又は再生が行われる。その後、記録再生系移動機構１８によって、記録再生部１６が退避位置に移動し、その後、図２０Ｃに示すように、搬送機構２４によって光ディスク１４がトレイ１３２から基台１３６に搬送される。基台１３６に光ディスク１４が載置された段階で、図１０Ｄに示すように、第１印刷ヘッド移動機構９２Ａ及び第２印刷ヘッド移動機構９２Ｂ（図１４参照）によって印刷ヘッド８６が光ディスク１４の印刷可能面２０に対して二次元走査されて、該印刷可能面２０に印刷情報の印刷が行われる。その後、図２０Ｅに示すように、搬送機構２４によって光ディスク１４が基台１３６からトレイ１３２に搬送される。トレイ１３２に光ディスク１４が載置された段階で、図１０Ｆに示すように、トレイ移動機構１３４によってトレイ１３２の一部が開口１３０から突出することになる。
【０１０６】
この第２の実施の形態に係る情報記録再生装置１０Ｂにおいても、上述した第１の実施の形態に係る情報記録再生装置１０Ａと同様に、光ディスク１４の内部に記録された情報に関する情報（画像情報や文字情報等）を簡便に、且つ、周辺を汚すことなく、正確に印刷することができ、一般ユーザによる光ディスク１４への情報記録の普及を促進させることができる。
【０１０７】
上述の例では、トレイ１３２に載置された光ディスク１４に対して情報の記録及び／又は再生を行い、基台１３６に搬送された光ディスク１４に対して印刷情報の印刷を行うようにしたが、図２１の変形例に係る情報記録再生装置１０Ｂａに示すように、その逆の方式を採用してもよい。
【０１０８】
すなわち、トレイ１３２上に印刷部２２を設置し、基台１３６上に記録再生部１６並びに記録再生系移動機構１８を設置すればよい。この場合、印刷部２２は、上述した図６に示す印刷部２２とほぼ同様の構成を有するが、第２トレイ３０の代わりに、トレイ１３２が使用され、第２トレイ移動機構３６の代わりにトレイ移動機構１３４が使用される。
【０１０９】
そして、まず、図２２Ａに示すように、トレイ１３２に載置された光ディスク１４がトレイ移動機構１３４（図２１参照）によって筐体１２内に収容されると、図２２Ｂに示すように、搬送機構２４によって光ディスク１４がトレイ１３２から基台１３６に搬送される。基台１３６に光ディスク１４が載置された段階で、図２２Ｃに示すように、記録再生部１６によって光ディスク１４に対して情報の記録及び／又は再生が行われる。その後、記録再生系移動機構１８によって、記録再生部１６が退避位置に移動し、その後、図２２Ｄに示すように、搬送機構２４によって光ディスク１４が基台１３６からトレイ１３２に搬送される。トレイ１３２に光ディスク１４が載置された段階で、図２２Ｅに示すように、印刷部２２による印刷が開始され、図２２Ｆに示すように、トレイ移動機構１３４と印刷ヘッド移動機構９２によって印刷ヘッド８６が光ディスク１４の印刷可能面２０に対して二次元走査されて、該印刷可能面２０に印刷情報の印刷が行われ、同時にトレイ１３２の一部が開口１３０から突出することになる。
【０１１０】
この変形例に係る情報記録再生装置１０Ｂａにおいても、光ディスク１４の内部に記録された情報に関する情報（画像情報や文字情報等）を簡便に、且つ、周辺を汚すことなく、正確に印刷することができ、一般ユーザによる光ディスク１４への情報記録の普及を促進させることができる。
【０１１１】
なお、本発明に係る情報記録再生装置、情報印刷方法及び光情報記録媒体は、上述の実施の形態に限らず、本発明の要旨を逸脱することなく、種々の構成を採り得ることはもちろんである。
【図面の簡単な説明】
【０１１２】
【図１】第１の実施の形態に係る情報記録再生装置を示す構成図である。
【図２】第１の実施の形態に係る情報記録再生装置において、記録再生部を駆動位置に設定した状態を示す構成図である。
【図３】記録ヘッドに対するデータの流れ、再生ヘッドからのデータの流れの一例を示す構成図である。
【図４】第１の実施の形態に係る情報記録再生装置において、光ディスクをチャッキング機構にてスピンドルモータに保持した状態を示す構成図である。
【図５】第１の実施の形態に係る情報記録再生装置において、記録再生部を退避位置に設定した状態を示す構成図である。
【図６】第１の実施の形態に係る情報記録再生装置の印刷部を示す構成図である。
【図７】第２トレイ移動機構と印刷ヘッド移動機構による印刷ヘッドの二次元走査を示す説明図である。
【図８】印刷ヘッドの好ましい設置例を示す説明図である。
【図９】光ディスクの印刷可能面にユーザが編集した画像データや文字データが印刷された状態を示す斜視図である。
【図１０】図１０Ａ〜図１０Ｅは第１の実施の形態に係る情報記録再生装置の使用形態の一例を示す説明図である。
【図１１】図１１Ａ〜図１１Ｃは第１の実施の形態に係る情報記録再生装置の使用形態の他の例を示す説明図である。
【図１２】第１の実施の形態に係る情報記録再生装置において、外気の流通を考慮した構造を示す斜視図である。
【図１３】第１の実施の形態に係る情報記録再生装置において、搬送機構としてガイドレールを用いた場合の構成例を示す説明図である。
【図１４】第１の実施の形態に係る情報記録再生装置の印刷部の他の例を示す構成図である。
【図１５】第１の実施の形態に係る情報記録再生装置の第１の変形例を示す構成図である。
【図１６】第１の実施の形態に係る情報記録再生装置の第１の変形例において、搬送機構としてガイドレールを用いた場合の構成例を示す説明図である。
【図１７】第１の実施の形態に係る情報記録再生装置の第２の変形例を示す構成図である。
【図１８】第１の実施の形態に係る情報記録再生装置の第２の変形例において、搬送機構としてガイドレールを用いた場合の構成例を示す説明図である。
【図１９】第２の実施の形態に係る情報記録再生装置を示す構成図である。
【図２０】図２０Ａ〜図２０Ｆは第２の実施の形態に係る情報記録再生装置の使用形態の一例を示す説明図である。
【図２１】第２の実施の形態に係る情報記録再生装置の変形例を示す構成図である。
【図２２】図２２Ａ〜図２２Ｆは第２の実施の形態に係る情報記録再生装置の変形例の使用形態の一例を示す説明図である。
【符号の説明】
【０１１３】
１０Ａ、１０Ａａ、１０Ａｂ、１０Ｂ、１０Ｂａ…情報記録再生装置
１２…筐体                          １４…光ディスク
１６…記録再生部                    １８…記録再生系移動機構
２０…印刷可能面                    ２２…印刷部
２４…搬送機構                      ２６…第１トレイ
２８…挿入口                        ３０…第２トレイ
３２…取出し口                      ３４…第１トレイ移動機構
３６…第２トレイ移動機構            ８６…印刷ヘッド
１０６…画像データ                  １０８…文字データ
１３０…開口                        １３２…トレイ
１３４…トレイ移動機構              １３６…基台
【図１】
2007026608.tif 000003
【図２】
2007026608.tif 000004
【図３】
2007026608.tif 000005
【図４】
2007026608.tif 000006
【図５】
2007026608.tif 000007
【図６】
2007026608.tif 000008
【図７】
2007026608.tif 000009
【図８】
2007026608.tif 000010
【図９】
2007026608.tif 000011
【図１０】
2007026608.tif 000012
【図１１】
2007026608.tif 000013
【図１２】
2007026608.tif 000014
【図１３】
2007026608.tif 000015
【図１４】
2007026608.tif 000016
【図１５】
2007026608.tif 000017
【図１６】
2007026608.tif 000018
【図１７】
2007026608.tif 000019
【図１８】
2007026608.tif 000020
【図１９】
2007026608.tif 000021
【図２０】
2007026608.tif 000022
【図２１】
2007026608.tif 000023
【図２２】
2007026608.tif 000024